(57)【要約】【課題】超音波処理時に毛髪が受ける損傷を抑制することができる超音波ヘアセット装置を提供する。【解決手段】ヘアセット装置１は、振動部５と受け部６との間に毛髪を挟み込んで、毛髪に超音波振動を与えることで、毛髪に処理を行う。振動部５は円筒状をなすとともに、振動部５の長手方向に回転軸９を有し、回転軸９を中心に毛髪の移動方向と同じ方向に沿って回転可能となっている。【選択図】図１
2010162150.tif 000002
【特許請求の範囲】
【請求項１】
超音波振動を発生させる振動子を有するとともに毛髪に超音波振動を伝える振動部と、前記振動部と対向する受け部とを備え、前記振動部と前記受け部とで毛髪を挟み込んで、前記毛髪に超音波振動を与えることで前記毛髪に処理を行う超音波へアセット装置であって、
前記振動部は、円筒状をなすとともに前記振動部の長手方向に回転軸を有し、前記回転軸を中心に前記毛髪の移動方向と同じ方向に回転可能となっていることを特徴とする超音波へアセット装置。
【請求項２】
前記受け部は、前記毛髪の移動方向と同じ方向に動くことを特徴とする請求項１に記載の超音波へアセット装置。
【請求項３】
前記受け部は、前記毛髪の移動方向と同じ方向に回転可能となっていることを特徴とする請求項１又は請求項２に記載の超音波へアセット装置。
【請求項４】
前記振動部に電力を供給する電力供給部から前記振動部へ電力を伝達させる伝達部がばね構造となっていることを特徴とする請求項１〜請求項３のいずれか一項に記載の超音波へアセット装置。
【請求項５】
前記振動部側、又は前記伝達部側のうち少なくともどちらか一方には、前記伝達部と前記振動部とが接続された状態を保持するための保持部が設けられていることを特徴とする請求項４に記載の超音波へアセット装置。
【請求項６】
前記伝達部における前記振動部との接点である先端部が曲面状になっていることを特徴とする請求項４又は請求項５に記載の超音波へアセット装置。
【請求項７】
前記振動部に電力を供給する電力供給部から前記振動部へ電力を伝達させる伝達部がコイル構造となっているとともに、前記伝達部は、前記電力供給部側に配置される第１伝達部と、前記振動部と一体配置される第２伝達部とで構成されていることを特徴とする請求項１〜請求項３のいずれか一項に記載の超音波へアセット装置。
【請求項８】
前記伝達部は渦巻状コイルであるとともに、前記第１伝達部は、前記第２伝達部の回転経路と対応するように配置されていることを特徴とする請求項７に記載の超音波へアセット装置。
【発明の詳細な説明】
【技術分野】
【０００１】
本発明は、超音波により毛髪に処理を施す超音波へアセット装置に関する。
【背景技術】
【０００２】
一般に、毛髪をカーリングさせたりストレートにしたりする等の処理を施すには、パーマネント液等の液剤を毛髪に付着させ、ヒータにより加熱することが行われているが、毛髪を長時間ヒータにより加熱すると、毛髪が痛んでしまうという問題があった。特に、家庭などで使用される鏝等により毛髪を挟み込んで処理を行う場合、ヒータが毛髪に直接触れるため、長時間毛髪に処理を施すことにより毛髪の損傷が発生し易かった。
【０００３】
そこで、特許文献１には、超音波振動を行う振動部と、振動部と対向するように設けられた受け部とで毛髪を挟み込み、毛髪に超音波振動を与えることで毛髪処理を行う超音波ヘアセット装置が提案されている。この装置では、加熱ではなく超音波振動により、毛髪に処理が施される。
【先行技術文献】
【特許文献】
【０００４】
【特許文献１】特開２００１−３７５２６号公報
【発明の概要】
【発明が解決しようとする課題】
【０００５】
しかしながら、上記従来の構成であると、ユーザは毛髪を振動部と受け部とで挟み込み、その状態で振動部と受け部とをスライド移動させて処理を行う。そのスライド移動に伴い、振動部及び受け部と接触する毛髪の表面に摩擦が生じてしまい、その部分が損傷してしまうという問題があった。
【０００６】
本発明の目的は、超音波処理時に毛髪が受ける損傷を抑制することができる超音波ヘアセット装置を提供することにある。
【課題を解決するための手段】
【０００７】
上記課題を解決するために、請求項１に記載の発明は、超音波振動を発生させる振動子を有するとともに毛髪に超音波振動を伝える振動部と、前記振動部と対向する受け部とを備え、前記振動部と前記受け部とで毛髪を挟み込んで、前記毛髪に超音波振動を与えることで前記毛髪に処理を行う超音波へアセット装置であって、前記振動部は、円筒状をなすとともに前記振動部の長手方向に回転軸を有し、前記回転軸を中心に前記毛髪の移動方向と同じ方向に回転可能となっていることを要旨とする。
【０００８】
この発明によれば、受け部とともに毛髪を挟み込む振動部は円筒状であるとともに、回転軸を中心に毛髪の移動方向と同じ方向に回転可能となっているため、振動部と受け部とで毛髪を挟み込んだとき、振動部が毛髪の移動方向に沿って回転する。このため、振動部と毛髪との間に発生する摩擦を低減することができ、超音波処理時に毛髪が受ける損傷を抑制することができる。
【０００９】
請求項２に記載の発明は、請求項１に記載の発明において、前記受け部は、前記毛髪の移動方向と同じ方向に動くことを要旨とする。
この発明によれば、振動部とともに毛髪を挟み込む受け部が、毛髪の移動方向と同じ方向に動くため、振動部と受け部とで毛髪を挟み込んだとき、受け部が毛髪の移動方向に沿って移動する。このため、受け部と毛髪との間に発生する摩擦を低減することができ、超音波処理時に毛髪が受ける損傷をさらに抑制することができる。
【００１０】
請求項３に記載の発明は、請求項１又は請求項２に記載の発明において、前記受け部は、前記毛髪の移動方向と同じ方向に回転可能となっていることを要旨とする。
この発明によれば、振動部と同様に、振動部とともに毛髪を挟み込む受け部は、毛髪の移動方向と同じ方向に回転可能となっているため、振動部と受け部とで毛髪を挟み込んだとき、受け部が毛髪の移動方向に沿って回転する。このため、振動部と受け部とで毛髪を挟み込んだ状態で、振動部と受け部とを移動させ易くなり、受け部と毛髪との間に発生する摩擦を低減することができ、超音波処理時に毛髪が受ける損傷を確実に抑制することができる。
【００１１】
請求項４に記載の発明は、請求項１〜請求項３のいずれか一項に記載の発明において、前記振動部に電力を供給する電力供給部から前記振動部へ電力を伝達させる伝達部がばね構造となっていることを要旨とする。
【００１２】
この発明によれば、伝達部がばね構造となっているため、伝達部を振動部に対して押し付けるようにして振動部と接触させることができる。よって、振動部が回転しても、伝達部が振動部に対して押し付けるように接触していることで、振動部と伝達部とが接触した状態を維持することができ、電力供給部から伝達部を介して振動部に電力を供給することができる。
【００１３】
請求項５に記載の発明は、請求項４に記載の発明において、前記振動部側、又は前記伝達部側のうち少なくともどちらか一方には、前記伝達部と前記振動部とが接続された状態を保持するための保持部が設けられていることを要旨とする。
【００１４】
この発明によれば、振動部が回転しても、保持部によって、伝達部と振動部とが接続された状態を保持することができ、伝達部と振動部との接続が外れてしまうことを防ぐことができる。
【００１５】
請求項６に記載の発明は、請求項４又は請求項５に記載の発明において、前記伝達部における前記振動部との接点である先端部が曲面状になっていることを要旨とする。
この発明によれば、振動部が回転しても、前記伝達部における前記振動部との接点である先端部が曲面状になっていることで、伝達部と振動部とが滑らかに接触することができ、振動部がスムーズに回転することができる。よって、振動部の回転時に、振動部が伝達部に引っ掛かってしまうことがないため、振動部と毛髪との間に引っ掛かりが発生してしまうことを防ぐことができる。
【００１６】
請求項７に記載の発明は、請求項１〜請求項３のいずれか一項に記載の発明において、前記振動部に電力を供給する電力供給部から前記振動部へ電力を伝達させる伝達部がコイル構造となっているとともに、前記伝達部は、前記電力供給部側に配置される第１伝達部と、前記振動部と一体配置される第２伝達部とで構成されていることを要旨とする。
【００１７】
この発明によれば、第１伝達部により第２伝達部に電力を誘起させることができ、電力供給部からの電力を振動部へ非接触で伝達させることができる。よって、振動部の回転によって生じる伝達部と振動部との間の摩擦を無くすことができ、振動部の劣化を防止することができる。
【００１８】
請求項８に記載の発明は、請求項７に記載の発明において、前記伝達部は渦巻状コイルであるとともに、前記第１伝達部は、前記第２伝達部の回転経路と対応するように配置されていることを要旨とする。
【００１９】
この発明によれば、振動部が回転しても、第１伝達部が第２伝達部の回転経路と対応するように配置されていることから、第１伝達部と第２伝達部との位置関係が変化しないため、両伝達部間での電磁誘導の効率を一定にすることができる。
【発明の効果】
【００２０】
この発明によれば、超音波処理時に毛髪が受ける損傷を抑制することができる。
【図面の簡単な説明】
【００２１】
【図１】（ａ）は第１の実施形態における超音波へアセット装置の概略構成図、（ｂ）は振動部の斜視図。
【図２】（ａ）は一方の挟み部材を内側から見た平面図、（ｂ）は（ａ）におけるＡ−Ａ線断面図。
【図３】第２の実施形態における超音波へアセット装置の概略構成図。
【図４】（ａ）は他方の挟み部材を内側から見た平面図、（ｂ）は（ａ）におけるＢ−Ｂ線断面図。
【図５】第３の実施形態における振動部を一部拡大した縦断面図。
【図６】第４の実施形態における導線を拡大した拡大断面図。
【図７】（ａ）は第５の実施形態における振動部の斜視図、（ｂ）は振動部の縦断面図。
【図８】（ａ）及び（ｂ）は別の実施形態における他方の挟み部材の縦断面図。
【図９】（ａ）〜（ｄ）は別の実施形態における保持部の縦断面図。
【図１０】別の実施形態における導線を拡大した拡大斜視図。
【発明を実施するための形態】
【００２２】
（第１の実施形態）
以下、本発明を具体化した第１の実施形態を図１及び図２にしたがって説明する。
図１（ａ）に示すように、超音波ヘアセット装置１（以下、「ヘアセット装置１」と記載する）の一対の挟み部材２，３は、略直方体形状に形成されるとともに、長手方向（図１（ａ）に示す矢印Ｙ１の方向）の基端側（図１（ａ）における左側）がヒンジ部４により連結されることで、先端側（図１（ａ）における右側）が開閉自在とされている。一方の挟み部材２（図１（ａ）における上側）の先端部には振動部５が設けられるとともに、他方の挟み部材３（図１（ａ）における下側）の振動部５と対向する部分には受け部６が固設されている。受け部６は、振動部５に向かって突出するように設けられている。挟み部材２，３が閉じられた状態で、振動部５と受け部６とは略重ね合わせられるようになっている。
【００２３】
ヘアセット装置１は、振動部５と受け部６との間に毛髪Ｈ（図２（ｂ）参照）を挟み込んで、毛髪Ｈに超音波振動を与えることで、毛髪Ｈに処理を行う。本実施形態では、ヘアセット装置１は振動部５と受け部６とで挟み込んだ毛髪Ｈをストレートにする処理を行う。ユーザは、振動部５と受け部６とで毛髪Ｈを挟み込んで、毛髪Ｈの根元側から先端部に向けて移動させて、毛髪Ｈ全体に処理を施すことができる。
【００２４】
図１（ｂ）に示すように、振動部５は円筒状をなすとともに、超音波振動を発生する振動子７と、振動子７の振動を増幅して毛髪Ｈに伝達するホーン部８とを備えている。また、振動部５における中心軸線上には、振動部５の長手方向（図１（ｂ）に示す矢印Ｙ２の方向）に回転軸９を有するとともに、振動部５は回転軸９を中心に毛髪Ｈの移動方向と同じ方向に回転可能となっている。振動子７は、回転軸９の外周面に固設されるとともに、振動子７の外周面にはホーン部８が固設されている。本実施形態において、振動子７及びホーン部８における長手方向の長さは同じ長さとなっているとともに、回転軸９における長手方向の長さは、振動子７及びホーン部８における長手方向の長さよりも長くなっている。
【００２５】
図１（ａ）に示すように、ホーン部８及び回転軸９は、電力（交流電圧）を供給する電力供給部１０と伝達部としての導線１０ａを介してそれぞれ電気的に接続されている。図１（ｂ）に示すように、導線１０ａは、コイルばねのようなばね構造となっているとともに、ホーン部８及び回転軸９に対して押し付けるようにして、導線１０ａにおけるホーン部８及び回転軸９との接点である先端部１０ｂが、ホーン部８及び回転軸９における導線１０ａの先端部１０ｂと接触する側の端面８ａ，９ａと接触している。なお、先端部１０ｂの材質としては、導電性が高く、摩擦係数の低い材質が好ましく、例えばアルマイトや導電性樹脂等が好適である。
【００２６】
電力供給部１０から導線１０ａを介してホーン部８及び回転軸９に交流電圧が供給されると、ホーン部８及び回転軸９を介して交流電圧が振動子７に印加されるようになっている。振動子７は、電力供給部１０より交流電圧が印加されると、振動子７における寸法（厚み）が変化するとともに伸縮運動を起こして、機械振動が発生するようになっている。この機械振動は、ホーン部８を通して毛髪Ｈに伝達されるようになっている。
【００２７】
また、図１（ａ）に示すように、振動子７には、挟み部材２に内蔵された駆動回路１１を介して制御回路１２が接続されるとともに、振動子７は制御回路１２により駆動制御される。さらに、制御回路１２は電力供給部１０と電気的に接続されるとともに、電力供給部１０から制御回路１２へ電力が供給される。例えば、制御回路１２は、駆動回路１１を制御することで、振動子７に周波数３０ｋＨｚ〜５ＭＨｚ、電力密度０．１〜５．０Ｗ／ｃｍ２の条件で超音波振動を発生させる。
【００２８】
図２（ａ）に示すように、挟み部材２には凹部２ａが形成されている。挟み部材２を内側から平面視した凹部２ａは矩形状となっているとともに、凹部２ａ内には振動部５が配設されている。振動部５は、凹部２ａ内において、挟み部材２の長手方向に沿って配置されるとともに、回転軸９の両端部が凹部２ａに設けられる図示しない軸受によって回転可能に支持されている。
【００２９】
図２（ｂ）に示すように、振動部５が凹部２ａ内に配置された状態において、振動部５は、凹部２ａから外部へ長さＬ１分だけ露出するようになっている。このため、振動部５及び受け部６が毛髪Ｈを挟み込んで移動すると、振動部５は、振動部５及び受け部６に挟まれた毛髪Ｈの移動方向（図２（ｂ）に示す矢印Ｘの方向）と同じ方向に沿って回転する。このため、毛髪Ｈに対して挟み部材２，３を移動させたときの毛髪Ｈと振動部５との間で発生する摩擦は、振動部５が固定された部材である場合と比較して低減される。
【００３０】
上記実施形態では以下の効果を得ることができる。
（１）振動部５は円筒状をなすとともに、振動部５の長手方向に回転軸９を有し、回転軸９を中心に毛髪Ｈの移動方向と同じ方向に回転可能となっている。よって、振動部５は、振動部５と受け部６とで毛髪Ｈを挟み込んだとき、振動部５が毛髪Ｈの移動方向と同じ方向に沿って回転する。このため、毛髪Ｈに対して挟み部材２，３を移動させたときの毛髪Ｈと振動部５との間で発生する摩擦を低減することができ、超音波処理時に毛髪Ｈが受ける損傷を抑制することができる。
【００３１】
（２）導線１０ａは、コイルばねとなっているとともに、ホーン部８及び回転軸９に対して押し付けるようにして、導線１０ａの先端部１０ｂがホーン部８及び回転軸９と接触している。よって、振動部５が回転しても、導線１０ａがホーン部８及び回転軸９に対して押し付けるようにして、導線１０ａの先端部１０ｂがホーン部８及び回転軸９の端面８ａ，９ａと摺接していることで、導線１０ａとホーン部８及び回転軸９とが接触した状態を維持することができる。したがって、振動部５が回転しても、導線１０ａの先端部１０ｂが端面８ａ，９ａから外れてしまうことを抑制することができるとともに、電力供給部１０から導線１０ａを介してホーン部８及び回転軸９に交流電圧を供給することができる。
【００３２】
（第２の実施形態）
以下、本発明を具体化した第２の実施形態を図３及び図４にしたがって説明する。なお、以下に説明する実施形態では、既に説明した実施形態と同一構成について同一符号を付すなどして、その重複する説明を省略又は簡略化する。
【００３３】
図３及び図４（ａ）に示すように、挟み部材３において、振動部５と対向する部分には凹部３ａが形成されている。挟み部材３を内側から平面視した凹部３ａは矩形状となっているとともに、凹部３ａ内には受け部としてのローラ２１が配設されている。ローラ２１は、凹部３ａ内において、挟み部材３の長手方向に沿って配置されるとともに、ローラ２１における中心軸線上に設けられた回転軸２２の両端部が凹部３ａに設けられる図示しない軸受によって回転可能に支持されている。なお、ローラ２１は、例えばウレタン樹脂で形成された発泡部材等の弾性体により形成されている。
【００３４】
図４（ｂ）に示すように、ローラ２１が凹部３ａ内に配置された状態において、ローラ２１は、凹部３ａから外部へ長さＬ２分だけ露出するようになっている。このため、振動部５及びローラ２１が毛髪Ｈを挟み込んで移動すると、ローラ２１は、振動部５及びローラ２１に挟まれた毛髪Ｈの移動方向（図４（ｂ）に示す矢印Ｘの方向）と同じ方向に沿って回転する。このため、毛髪Ｈに対して挟み部材２，３を移動させたときの毛髪Ｈとローラ２１との間で発生する摩擦は、ローラ２１が固定された部材である場合と比較して低減される。
【００３５】
したがって、本実施形態によれば、第１の実施形態の効果（１）及び（２）と同様の効果に加えて、以下に示す効果を得ることができる。
（３）挟み部材３において、振動部５と対向する部分には凹部３ａが形成されるとともに、凹部３ａ内にはローラ２１が回転可能に配設されている。よって、ローラ２１は、振動部５とローラ２１とで毛髪を挟み込んだとき、振動部５と同様に毛髪Ｈの移動方向に沿って回転する。このため、毛髪Ｈに対して挟み部材２，３を移動させたときの毛髪Ｈと振動部５、及び毛髪Ｈとローラ２１との間で発生する摩擦を低減することができ、超音波処理時に毛髪Ｈが受ける損傷をさらに抑制することができる。
【００３６】
（４）受け部としてローラ２１を用いる構成は、振動部５とローラ２１とで毛髪Ｈを挟み込んだとき、ローラ２１が毛髪Ｈの移動方向に沿って回転するため、振動部５とローラ２１とで毛髪Ｈを挟み込んだ状態で、振動部５とローラ２１とを移動させ易くなり、ローラ２１が固定されている構成と比較して使い勝手が良い。
【００３７】
（５）毛髪Ｈに接触するローラ２１が弾性体で形成されているため、振動部５とローラ２１とで毛髪Ｈを挟んだときに振動部５からローラ２１にかかる圧力が、ローラ２１により吸収されるため、毛髪Ｈが受ける損傷を抑制することができる。
【００３８】
（第３の実施形態）
以下、本発明を具体化した第３の実施形態を図５にしたがって説明する。
図５に示すように、ホーン部８の端面８ａには、保持部としての保持凹部３１が形成されている。保持凹部３１は、振動部５が回転したときに導線１０ａの先端部１０ｂがホーン部８の端面８ａに接する経路上に位置するように、ホーン部８の端面８ａにおける周方向に全周に亘って形成されている。導線１０ａの先端部１０ｂは、保持凹部３１内に収容されるように配置されるとともに、保持凹部３１内に接している。
【００３９】
また、回転軸９の端面９ａには、保持部としての保持凹部３２が形成されている。保持凹部３２は、回転軸９の端面９ａにおける中央部に凹設されている。導線１０ａの先端部１０ｂは、保持凹部３２内に収容されるように配置されるとともに、保持凹部３２内に接している。
【００４０】
したがって、本実施形態によれば、第１の実施形態の効果（１）及び（２）と同様の効果に加えて、以下に示す効果を得ることができる。
（６）ホーン部８及び回転軸９における導線１０ａの先端部１０ｂと接触する側の端面８ａ，９ａには、保持凹部３１，３２がそれぞれ形成されている。導線１０ａの先端部１０ｂは、保持凹部３１，３２内に収容されるように配置されるとともに、保持凹部３１，３２内に接している。よって、保持凹部３１，３２によって、振動部５が回転しても、導線１０ａとホーン部８、及び導線１０ａと回転軸９との接続状態を保持することができ、導線１０ａとホーン部８、及び導線１０ａと回転軸９との接続が外れてしまうことを防ぐことができる。
【００４１】
（第４の実施形態）
以下、本発明を具体化した第４の実施形態を図６にしたがって説明する。なお、図６は、導線１０ａを拡大した拡大断面図であり、導線１０ａの大きさをホーン部８及び振動子７の大きさに対して誇張して描いている。
【００４２】
図６に示すように、導線１０ａの先端部１０ｂは曲面状になっている。このように、導線１０ａの先端部１０ｂが曲面状になっていることから、振動部５が回転しても、導線１０ａとホーン部８とは、ホーン部８の端面８ａと導線１０ａの先端部１０ｂとが滑らかに接触することで電気的に接続されている。なお、回転軸９と接続される導線１０ａについても同様であるため、図示及び説明を省略する。
【００４３】
したがって、本実施形態によれば、第１の実施形態の効果（１）及び（２）と同様の効果に加えて、以下に示す効果を得ることができる。
（７）導線１０ａの先端部１０ｂは曲面状になっている。よって、振動部５が回転しても、導線１０ａの先端部１０ｂとホーン部８及び回転軸９の端面８ａ，９ａとが滑らかに摺接することができ、振動部５がスムーズに回転することができる。よって、振動部５の回転時に、振動部５が導線１０ａに引っ掛かってしまうことがないため、振動部５と毛髪Ｈとの間に引っ掛かりが発生してしまうことを防ぐことができる。
【００４４】
（第５の実施形態）
以下、本発明を具体化した第５の実施形態を図７にしたがって説明する。
図７（ａ），（ｂ）に示すように、電力供給部１０からホーン部８及び回転軸９に交流電圧を伝達させる伝達部が渦巻状コイルとなっているとともに、伝達部は、電力供給部１０側に配置される第１伝達部５１と、振動部５と一体配置される第２伝達部５２とで構成されている。第２伝達部５２は振動部５と一体的に回転するようになっている。第１伝達部５１は、第２伝達部５２の回転経路と対応するように配置されている。
【００４５】
電力供給部１０から第１伝達部５１へ電力が供給されると、第１伝達部５１により第２伝達部５２に電力が誘起される。第２伝達部５２に電力が誘起されると、ホーン部８及び回転軸９に交流電圧が供給されるとともに、ホーン部８及び回転軸９を介して交流電圧が振動子７に印加されるようになっている。振動子７は、電力供給部１０より交流電圧が印加されると、振動子７における寸法（厚み）が変化するとともに伸縮運動を起こして、機械振動が発生するようになっている。この機械振動は、ホーン部８を通して毛髪Ｈに伝達されるようになっている。
【００４６】
したがって、本実施形態によれば、第１の実施形態の効果（１）と同様の効果に加えて、以下に示す効果を得ることができる。
（８）電力供給部１０からホーン部８及び回転軸９に交流電圧を伝達させる伝達部が渦巻状コイルとなっているとともに、伝達部は、電力供給部１０側に配置される第１伝達部５１と、振動部５と一体配置される第２伝達部５２とで構成されている。よって、第１伝達部５１により第２伝達部５２に電力を誘起させることができ、電力供給部１０からの電力をホーン部８及び回転軸９へ非接触で伝達させることができる。よって、第１の実施形態のように、電力供給部１０からの電力を、導線１０ａを介してホーン部８及び回転軸９に伝達させる構成と比較して、振動部５の回転によって生じる伝達部と振動部５との間の摩擦を無くすことができ、振動部５の劣化を防止することができる。
【００４７】
（９）第１伝達部５１は、第２伝達部５２の回転経路と対応するように配置されている。よって、振動部５が回転しても、第１伝達部５１と第２伝達部５２との位置関係が変化しないため、両伝達部５１，５２間での電磁誘導の効率を一定にすることができる。
【００４８】
なお、上記実施形態は以下のように変更してもよい。
○  第２の実施形態において、凹部３ａ内にはローラ２１を設けたが、凹部３ａ内に配設される回転部材の態様はローラ２１に限定されない。例えば、図８（ａ）に示すように、凹部３ａ内の長手方向に配置され両端部が固定された支持部材６１に、ローラ６２がそれぞれ回転可能に支持されるとともに、両ローラ６２にベルト６３が架け渡された構成としてもよい。これによれば、毛髪Ｈの移動に伴い毛髪Ｈに沿ってベルト６３が移動し、振動部５と挟み込む面積を大きくすることができるため、安定して毛髪Ｈを挟み込むことができるようになる。
【００４９】
○  また、図８（ｂ）に示すように、凹部３ａ内に略直方体形状の支持部材７１が設けられ、支持部材７１に形成された収容部７１ａ内に球７２が回転可能に収容された構成としてもよい。これによれば、毛髪Ｈの移動に伴い毛髪Ｈに沿って球７２が回転し、一定の方向に定まらない毛髪Ｈであっても、スムーズに誘導される。
【００５０】
○  さらに、第２の実施形態において、凹部３ａ内に複数のローラ２１を離間配置してもよい。
○  第３の実施形態において、ホーン部８及び回転軸９の端面８ａ，９ａには、保持部として保持凹部３１，３２を形成したが、保持部としての形状は保持凹部３１，３２のような形状に限定されない。以下、説明を簡略化するために、ホーン部８の端面８ａに形成される保持部の変形例についてのみ説明するが、以下の説明のように構成される保持部を回転軸９の端面９ａに形成してもよい。例えば、図９（ａ）に示すように、ホーン部８の端面８ａには、保持凹部８１が形成されるとともに、保持凹部８１における一方の内周面８１ａには、保持凹部８１の内側に延在する係止凸部８１ｃが形成されている。係止凸部８１ｃは、保持凹部８１における一方の内周面８１ａから他方の内周面８１ｂに向かって延在している。係止凸部８１ｃの先端と他方の内周面８１ｂとの間には隙間が形成され、隙間を介して導線１０ａの先端部１０ｂが保持凹部８１内に収容されるように配置されている。これによれば、導線１０ａの先端部１０ｂは、保持凹部８１内に収容されるように配置され、振動部５が回転しても、係止凸部８１ｃによって、導線１０ａの先端部１０ｂが保持凹部８１外に外れてしまうことを防止することができる。すなわち、保持凹部８１及び係止凸部８１ｃにより保持部が構成されている。
【００５１】
○  また、図９（ｂ）に示すように、ホーン部８の端面８ａには、端面８ａに対して直交する方向に延在する保持部としての一対の係止凸部８２が形成されている。一対の係止凸部８２は、振動部５が回転したときに導線１０ａの先端部１０ｂがホーン部８の端面８ａに接する経路上に位置するように、ホーン部８の端面８ａにおける周方向に全周に亘って形成されている。導線１０ａの先端部１０ｂは、一対の係止凸部８２内に収容されるように配置されている。
【００５２】
○  さらに、図９（ｃ）に示すように、ホーン部８の端面８ａには、端面８ａに対して直交する方向に延在する保持部としての一対の係止凸部８３が形成されている。一対の係止凸部８３は、振動部５が回転したときに導線１０ａの先端部１０ｂがホーン部８の端面８ａに接する経路上に位置するように、ホーン部８の端面８ａにおける周方向に全周に亘って形成されている。また、一対の係止凸部８３における先端には、係止凸部８３の延在方向と直交し、かつ互いの方向に向かうように屈曲した屈曲部８３ａを備えている。各屈曲部８３ａの先端同士の間には隙間が形成され、隙間を介して導線１０ａの先端部１０ｂが一対の係止凸部８３内に収容されるように配置されている。すなわち、一対の係止凸部８３及び屈曲部８３ａにより保持部が構成されている。
【００５３】
○  また、図９（ｄ）に示すように、ホーン部８の端面８ａには、端面８ａに対して直交する方向に延在する保持部としての一対の係止凸部８４が形成されている。一対の係止凸部８４は、振動部５が回転したときに導線１０ａの先端部１０ｂがホーン部８の端面８ａに接する経路上に位置するように、ホーン部８の端面８ａにおける周方向に全周に亘って形成されている。また、一方の係止凸部８４における先端には、係止凸部８４の延在方向と直交し、他方の係止凸部８４の方向に向かうように屈曲した屈曲部８４ａを備えている。屈曲部８４ａの先端と他方の係止凸部８４における内周面との間には隙間が形成され、隙間を介して導線１０ａの先端部１０ｂが一対の係止凸部８４内に収容されるように配置されている。すなわち、一対の係止凸部８４及び屈曲部８４ａにより保持部が構成されている。
【００５４】
○  第４の実施形態において、導線１０ａの先端部１０ｂが車輪の形状になっていてもよい。例えば、図１０に示すように、導線１０ａの先端部１０ｂには、導線１０ａと直交する方向に延びる軸９０が設けられるとともに、軸９０の両端には車輪９１が設けられている。車輪９１は、図示しない支持部によって軸９０に対して回転可能に設けられている。車輪９１がホーン部８の端面８ａ又は回転軸９の端面９ａと接触した状態において、振動部５が回転しても、車輪９１は端面８ａ，９ａと摺接するように回転するようになっており、電力供給部１０から導線１０ａを介してホーン部８及び回転軸９に交流電圧を供給することができる。
【００５５】
○  また、第４の実施形態において、導線１０ａの先端部１０ｂが球体状になっていてもよい。
○  第１の実施形態において、凹部２ａ内に振動部５を複数配置してもよい。
【００５６】
○  第１の実施形態において、受け部６が挟み部材３内に埋め込まれるとともに、受け部６における振動部５と対向する面のみを、挟み部材３の表面と同一平面上に露出するようにしてもよい。
【００５７】
○  第１の実施形態において、伝達部としての導線１０ａはコイルばねであったが、コイル構造を有した構成であれば、コイルばねではなく、例えば板ばねやリングばね等の別の形状のばねを適用してもよい。伝達部の材料としては、導電性の高い材質が好ましく、例えば銅合金等が好適である。
【００５８】
○  第１の実施形態において、導線１０ａ自身をばね構造にせずに、導線１０ａの周辺にばね構造を設けるとともに、ばね構造と導線１０ａとを一部接続させ、導線１０ａをばね構造を介してホーン部８及び回転軸９に対して押し付けるようにしてもよい。
【００５９】
○  第１の実施形態において、振動子７における長手方向の長さが、ホーン部８における長手方向の長さよりも短くなっていてもよい。
○  第２の実施形態において、ローラ２１は弾性体で形成されているものとしたが、ローラ２１を、例えば金属等の弾性体以外の材質で形成してもよい。
【００６０】
○  第２の実施形態において、ローラ２１は、ウレタン樹脂の発泡材料により形成されているものとしたが、ローラ２１を例えばゴムやプラスチック等の他の弾性体で形成してもよい。
【００６１】
○  第２の実施形態において、毛髪Ｈの移動方向と同じ方向に回転可能なローラ２１を設けたが、ローラ２１に代えて、例えば、毛髪Ｈと接触した状態で毛髪Ｈの移動方向と同じ方向に移動可能な弾性部材を設けてもよい。
【００６２】
○  第３の実施形態において、導線１０ａの先端部１０ｂに保持凹部３１，３２と嵌合可能な保持凸部を形成し、保持凹部３１，３２と保持凸部とが嵌合することによって、導線１０ａとホーン部８、及び導線１０ａと回転軸９との接続状態を保持するようにしてもよい。
【００６３】
○  第５の実施形態において、第１伝達部５１は、第２伝達部５２の回転経路と対応するように配置されていなくてもよく、第１伝達部５１により第２伝達部５２に電力を誘起させることが可能であれば、第１伝達部５１がどのように配置されていてもよい。
【００６４】
○  第５の実施形態において、両伝達部５１，５２は、渦巻状コイル以外の形状のコイルで構成されていてもよい。
○  第５の実施形態において、両伝達部５１，５２をそれぞれ複数設けてもよい。
【符号の説明】
【００６５】
１…超音波へアセット装置、５…振動部、６…受け部、７…振動子、９…回転軸、１０…電力供給部、１０ａ…伝達部としての導線、１０ｂ…先端部、２１…受け部としてのローラ、３１，３２，８１…保持部としての保持凹部、５１…第１伝達部、５２…第２伝達部、６３…受け部としてのベルト、７２…受け部としての球、８１ｃ，８２〜８４…保持部としての係止凸部、８３ａ，８４ａ…保持部としての屈曲部、Ｈ…毛髪。
【図１】
2010162150.tif 000003
【図２】
2010162150.tif 000004
【図３】
2010162150.tif 000005
【図４】
2010162150.tif 000006
【図５】
2010162150.tif 000007
【図６】
2010162150.tif 000008
【図７】
2010162150.tif 000009
【図８】
2010162150.tif 000010
【図９】
2010162150.tif 000011
【図１０】
2010162150.tif 000012